(57)【要約】【課題】予約炊飯機能を備えかつ１つの時計表示を有する炊飯器において、予約炊飯時刻設定が予約炊飯可能時間を外れているという誤操作を改善する。【解決手段】制御手段６により炊飯器の動作を制御し、予約設定開始手段３により予約炊飯時刻の設定を開始し、予約時刻設定手段４により予約炊飯の終了時刻を設定し、予約設定確定手段５により予約設定を確定し、通常は現在時刻を表示する表示手段７の時刻表示手段７ａに予約炊飯設定時には予約時刻を表示する。制御手段６は、予約設定開始手段３から制御手段６へ信号が伝達された時刻を記憶する記憶手段６ａを有し、その時刻から予約時刻設定手段４により設定され予約設定確定手段５により確定された時刻までが予約可能時間以上かを判断するよう構成する。【選択図】　図１
2004008298.tif 000002
【特許請求の範囲】
【請求項１】
炊飯器の動作を制御する制御手段と、予約炊飯時刻の設定を開始する予約設定開始手段と、予約炊飯の終了時刻を設定する予約時刻設定手段と、予約設定を確定する予約設定確定手段と、通常は現在時刻を表示し予約炊飯設定時には予約時刻を表示する時刻表示手段を有する表示手段とを備え、前記制御手段は、予約設定開始手段から制御手段へ信号が伝達された時刻を記憶する記憶手段を有し、その時刻から予約時刻設定手段により設定され予約設定確定手段により確定された時刻までが予約可能時間以上かを判断するよう構成した炊飯器。
【請求項２】
制御手段は、予約設定開始手段から制御手段へ信号が伝達された時刻に対し、予約時刻設定手段により設定され予約設定確定手段により確定された時刻が予約時刻設定可能時間にないことを検知した場合、予約設定確定を受け付けず誤設定された予約時刻に最も近い予約設定可能時刻を時刻表示手段に表示するようにした請求項１記載の炊飯器。
【請求項３】
制御手段は、予約設定開始手段から制御手段へ信号が伝達された時刻に対し、予約時刻設定手段により設定され予約設定確定手段により確定された時刻が予約時刻設定可能時間にないことを検知した場合、即座に炊飯を開始するようにした請求項１記載の炊飯器。
【請求項４】
制御手段は、予約設定開始手段から制御手段へ信号が伝達された時刻に対し、予約時刻設定手段により設定された時刻が予約炊飯不可能な時刻であった場合、表示手段へ注意表示をするようにした請求項１〜３のいずれか１項に記載の炊飯器。
【請求項５】
外部に音で炊飯器の状態を報知する報知手段を備え、制御手段は、予約設定開始手段から制御手段へ信号が伝達された時刻に対し、予約時刻設定手段により設定された時刻が予約炊飯不可能な時刻であった場合、前記報知手段により報知音にて注意をするようにした請求項１〜４のいずれか１項に記載の炊飯器。
【発明の詳細な説明】
【０００１】
【発明の属する技術分野】
本発明は、予約炊飯機能を備えかつ１つの時計表示を有する炊飯器に関するものである。
【０００２】
【従来の技術】
従来、この種の炊飯器は図８に示すように構成していた。以下、その構成について説明する。
【０００３】
図８に示すように、表示手段１は炊飯器の状態を外部に対して表示するもので、現在の時刻および予約設定時には予約炊飯完了時刻を表示する時刻表示手段１ａを有している。制御手段２は炊飯器の状態を制御するものであり、予約設定開始手段３は予約炊飯の設定を開始する信号を制御手段２へ送るもので、予約時刻設定手段４は予約炊飯終了時刻を設定するものであり、予約設定確定手段５は予約設定を確定する信号を制御手段２へ送るものである。
【０００４】
上記構成において図９を参照しながら動作を説明する。予約設定開始手段３から制御手段２に信号が送られると予約設定が開始される。ここで、予約時刻設定手段４にて予約炊飯終了時刻を設定する。このとき、予約炊飯終了時刻は時刻表示手段１ａに表示される。そこで、予約設定確定手段５により制御手段２に信号が送られると、制御手段２は予約時刻設定手段４にて設定された時刻と予約設定確定手段５から信号が送られた時刻を比較し、予約炊飯設定可能時間であるかを判断し予約炊飯設定を確定する。
【０００５】
【発明が解決しようとする課題】
しかしながら、このような構成では、時刻表示手段１ａには、予約時刻設定手段４にて予約炊飯終了時刻を設定した以降は、予約炊飯終了時刻が表示されており、予約設定確定手段５から制御手段２へ信号が送られた時刻がいつであるか使用者には分らず、予約設定確定時には予約炊飯可能時間を過ぎており、予約設定ができない場合が発生するという問題があった。
【０００６】
本発明は上記従来の課題を解決するもので、予約炊飯時刻設定が予約炊飯可能時間を外れているという誤操作を改善することを目的としている。
【０００７】
【課題を解決するための手段】
本発明は上記目的を達成するために、制御手段により炊飯器の動作を制御し、予約設定開始手段により予約炊飯時刻の設定を開始し、予約時刻設定手段により予約炊飯の終了時刻を設定し、予約設定確定手段により予約設定を確定し、通常は現在時刻を表示する表示手段の時刻表示手段に予約炊飯設定時には予約時刻を表示するよう構成し、制御手段は、予約設定開始手段から制御手段へ信号が伝達された時刻を記憶する記憶手段を有し、その時刻から予約時刻設定手段により設定され予約設定確定手段により確定された時刻までが予約可能時間以上かを判断するよう構成したものである。
【０００８】
これにより、予約炊飯時刻設定が予約炊飯可能時間を外れているという誤操作を改善することができる。
【０００９】
【発明の実施の形態】
本発明の請求項１に記載の発明は、炊飯器の動作を制御する制御手段と、予約炊飯時刻の設定を開始する予約設定開始手段と、予約炊飯の終了時刻を設定する予約時刻設定手段と、予約設定を確定する予約設定確定手段と、通常は現在時刻を表示し予約炊飯設定時には予約時刻を表示する時刻表示手段を有する表示手段とを備え、前記制御手段は、予約設定開始手段から制御手段へ信号が伝達された時刻を記憶する記憶手段を有し、その時刻から予約時刻設定手段により設定され予約設定確定手段により確定された時刻までが予約可能時間以上かを判断するよう構成したものであり、使用者は予約設定開始手段から制御手段へ信号が伝達された時刻を現在時刻表示として確認することができ、予約炊飯可能時間を外れているかを判断できるため、誤操作を改善することができる。
【００１０】
請求項２に記載の発明は、上記請求項１に記載の発明において、制御手段は、予約設定開始手段から制御手段へ信号が伝達された時刻に対し、予約時刻設定手段により設定され予約設定確定手段により確定された時刻が予約時刻設定可能時間にないことを検知した場合、予約設定確定を受け付けず誤設定された予約時刻に最も近い予約設定可能時刻を時刻表示手段に表示するようにしたものであり、予約炊飯設定時刻が予約炊飯設定可能時間から外れている場合、予約設定確定を受け付けず誤設定された予約時刻に最も近い予約設定可能時刻を時刻表示手段に表示することで、設定間違いを使用者に促すことができ、誤操作を改善することができる。
【００１１】
請求項３に記載の発明は、上記請求項１に記載の発明において、制御手段は、予約設定開始手段から制御手段へ信号が伝達された時刻に対し、予約時刻設定手段により設定され予約設定確定手段により確定された時刻が予約時刻設定可能時間にないことを検知した場合、即座に炊飯を開始するようにしたものであり、使用者が希望する炊飯終了時間にできる限り近い時間に炊飯を完了させることで、使用者の要望を満足させることができる。
【００１２】
請求項４に記載の発明は、上記請求項１〜３に記載の発明において、制御手段は、予約設定開始手段から制御手段へ信号が伝達された時刻に対し、予約時刻設定手段により設定された時刻が予約炊飯不可能な時刻であった場合、表示手段へ注意表示をするようにしたものであり、予約炊飯設定時刻が予約炊飯設定可能時間から外れている場合、表示手段により明らかにすることで使用者に注意を促し、誤操作を防止することができる。
【００１３】
請求項５に記載の発明は、上記請求項１〜４に記載の発明において、外部に音で炊飯器の状態を報知する報知手段を備え、制御手段は、予約設定開始手段から制御手段へ信号が伝達された時刻に対し、予約時刻設定手段により設定された時刻が予約炊飯不可能な時刻であった場合、前記報知手段により報知音にて注意をするようにしたものであり、予約炊飯設定時刻が予約炊飯設定可能時間から外れている場合、報知手段により明らかにすることで使用者に注意を促し、誤操作を防止することができる。
【００１４】
【実施例】
以下、本発明の実施例について、図面を参照しながら説明する。
【００１５】
（実施例１）
図１に示すように、予約設定開始手段３は予約炊飯時刻の設定を開始することを制御手段６へ伝えるもので、予約時刻設定手段４は予約炊飯の終了時刻を設定するものであり、予約設定確定手段５は予約設定を確定することを制御手段６へ伝えるものである。
【００１６】
制御手段６は、指定時刻に炊飯を行う予約炊飯動作を制御するもので、予約設定開始手段３から制御手段６に信号が送られた時刻を記憶する記憶手段６ａを有し、その時刻から予約時刻設定手段４により設定され予約設定確定手段５により確定された時刻までが予約可能時間以上かを判断するよう構成している。
【００１７】
表示手段７は炊飯器の状態を表示するもので、通常現在時刻を表示し予約炊飯設定時には予約時刻を表示する時刻表示手段７ａを有している。
【００１８】
上記構成において図２を参照しながら動作を説明する。使用者が予約炊飯の設定を行おうとする場合、予約設定開始手段３により制御手段６へ動作開始の信号を送る。このとき、制御手段６は予約設定開始手段３により制御手段６へ動作開始の信号を送られてきた時刻を記憶手段６ａに記憶する。さらに、制御手段６は時刻表示手段７ａを予約時刻の表示へ切り換え、予約時刻設定手段４からの信号を待つ。
【００１９】
そこで、使用者は、予約時刻設定手段４から設定したい予約時刻を制御手段６へ送る。制御手段６は、時刻表示手段７ａの時刻表示を予約時刻設定手段４からの入力に応じて変更する。所望の予約時刻になったところで予約設定確定手段５からの入力を制御手段６に与えることにより、制御手段６は記憶手段６ａに記憶してある時刻と予約時刻を比較し、その時刻が予約時刻設定可能時間であるかを判断し、予約時刻が予約時刻設定可能時間であれば予約時刻設定を完了する。また、予約時刻が予約時刻設定可能時間でない場合、予約設定確定入力を受け付けず、予約時刻設定入力を行うステップへ移行する。
【００２０】
したがって、使用者は予約設定開始手段３を操作し、制御手段６へ動作開始の信号を送る場合、その時刻を確認することができるため、使用者が気付かない時間の経過による予約時刻設定ができないという誤操作を軽減することができる。
【００２１】
ここで、予約時刻設定可能時間は、炊飯に４０分を要する場合、４０分以下の予約設定を禁止するという場合を考えているが、必要に応じて任意に設定される時間でもよい。
【００２２】
（実施例２）
図１に示す制御手段６は、予約設定開始手段３から制御手段６へ信号が伝達された時刻に対し、予約時刻設定手段４により設定され予約設定確定手段５により確定された時刻が予約時刻設定可能時間にないことを検知した場合、予約設定確定を受け付けず、誤設定された予約時刻に最も近い予約設定可能時刻を時刻表示手段７ａに表示するよう構成している。他の構成は上記実施例１と同じである。
【００２３】
上記構成において図３を参照しながら動作を説明する。使用者が予約炊飯の設定を行おうとする場合、予約設定開始手段３により制御手段６へ動作開始の信号を送る。このとき、制御手段６は予約設定開始手段３により制御手段６へ動作開始の信号を送られてきた時刻を記憶手段６ａに記憶する。さらに、制御手段６は時刻表示手段７ａを予約時刻の表示へ切り換え、予約時刻設定手段４からの信号を待つ。
【００２４】
そこで、使用者は、予約時刻設定手段４から設定したい予約時刻を制御手段６へ送る。制御手段６は、時刻表示手段７ａの時刻表示を予約時刻設定手段４からの入力に応じて変更する。所望の予約時刻になったところで予約設定確定手段５からの入力を制御手段６に与えることにより、制御手段６は記憶手段６ａに記憶してある時刻と予約時刻を比較し、その時刻が予約時刻設定可能時間であるかを判断する。
【００２５】
このとき、予約時刻設定手段４により設定され予約設定確定手段５により確定された時刻が予約時刻設定可能時間でない場合、予約設定確定を受け付けず、誤設定された予約時刻に最も近い予約設定可能時刻を時刻表示手段７ａに表示し、予約時刻設定のステップへ移行する。これにより設定間違いを使用者に促し誤操作をなくすことができる。
【００２６】
（実施例３）
図１に示す制御手段６は、予約設定開始手段３から制御手段６へ信号が伝達された時刻に対し、予約時刻設定手段４により設定され予約設定確定手段５により確定された時刻が予約時刻設定可能時間にないことを検知した場合、即座に炊飯を開始するよう構成している。他の構成は上記実施例１と同じである。
【００２７】
上記構成において図４を参照しながら動作を説明する。使用者が予約炊飯の設定を行おうとする場合、予約設定開始手段３により制御手段６へ動作開始の信号を送る。このとき、制御手段６は予約設定開始手段３により制御手段６へ動作開始の信号を送られてきた時刻を記憶手段６ａに記憶する。さらに、制御手段６は時刻表示手段７ａを予約時刻の表示へ切り換え、予約時刻設定手段４からの信号を待つ。
【００２８】
そこで、使用者は、予約時刻設定手段４から設定したい予約時刻を制御手段６へ送る。制御手段６は、時刻表示手段７ａの時刻表示を予約時刻設定手段４からの入力に応じて変更する。所望の予約時刻になったところで予約設定確定手段５からの入力を制御手段６に与えることにより、制御手段６は記憶手段６ａに記憶してある時刻と予約時刻を比較し、その時刻が予約時刻設定可能時間であるかを判断する。
【００２９】
このとき、予約時刻設定手段４により設定され予約設定確定手段５により確定された時刻が予約時刻設定可能時間でない場合、制御手段６はその設定を受け付けず、即時に炊飯を開始することにより、使用者が希望する炊飯終了時間にできる限り近い時間に炊飯を完了させることができ、使用者の要望を満足させることができる。
【００３０】
（実施例４）
図１に示す制御手段６は、予約設定開始手段３から制御手段６へ信号が伝達された時刻に対し、予約時刻設定手段４により設定された時刻が予約炊飯不可能な時刻であった場合、表示手段７へ注意表示をするよう構成している。他の構成は上記実施例１と同じである。
【００３１】
上記構成において図５を参照しながら動作を説明する。使用者が予約炊飯の設定を行おうとする場合、予約設定開始手段３により制御手段６へ動作開始の信号を送る。このとき、制御手段６は予約設定開始手段３により制御手段６へ動作開始の信号を送られてきた時刻を記憶手段６ａに記憶する。さらに、制御手段６は時刻表示手段７ａを予約時刻の表示へ切り換え、予約時刻設定手段４からの信号を待つ。
【００３２】
そこで、使用者は、予約時刻設定手段４から設定したい予約時刻を制御手段６へ送る。制御手段６は、時刻表示手段７ａの時刻表示を予約時刻設定手段４からの入力に応じて変更する。所望の予約時刻になったところで予約設定確定手段５からの入力を制御手段６に与えることにより、制御手段６は記憶手段６ａに記憶してある時刻と予約時刻を比較し、その時刻が予約時刻設定可能時間であるかを判断する。
【００３３】
このとき、予約時刻設定手段４により設定され予約設定確定手段５により確定された時刻が予約時刻設定可能時間でない場合、表示手段７に予約時刻設定間違いであることを表示することで、設定間違いを使用者に対し明確に促し、誤操作をなくすことができる。
【００３４】
（実施例５）
図６に示すように、報知手段８は、外部に音で炊飯器の状態を報知するもので、制御手段９は、予約設定開始手段６から制御手段９へ信号が伝達された時刻に対し、予約時刻設定手段４により設定された時刻が予約炊飯不可能な時刻であった場合、報知手段８により報知音にて注意をするよう構成している。他の構成は上記実施例１と同じであり、同一符号を付して説明を省略する。
【００３５】
上記構成において図７を参照しながら動作を説明する。使用者が予約炊飯の設定を行おうとする場合、予約設定開始手段３により制御手段９へ動作開始の信号を送る。このとき、制御手段９は予約設定開始手段３により制御手段９へ動作開始の信号を送られてきた時刻を記憶手段９ａに記憶する。さらに、制御手段９は時刻表示手段７ａを予約時刻の表示へ切り換え、予約時刻設定手段４からの信号を待つ。
【００３６】
そこで、使用者は、予約時刻設定手段４から設定したい予約時刻を制御手段９へ送る。制御手段９は、時刻表示手段７ａの時刻表示を予約時刻設定手段４からの入力に応じて変更する。所望の予約時刻になったところで予約設定確定手段５からの入力を制御手段９に与えることにより、制御手段９は記憶手段９ａに記憶してある時刻と予約時刻を比較し、その時刻が予約時刻設定可能時間であるかを判断する。
【００３７】
このとき、予約時刻設定手段４により設定され予約設定確定手段５により確定された時刻が予約時刻設定可能時間でない場合、表示手段７に予約時刻設定間違いであることを表示するとともに、報知手段８にて報知することで視覚的にも聴覚的にも、設定間違いを使用者に対し明らかにし、誤操作をなくすことができる。
【００３８】
【発明の効果】
以上のように本発明の請求項１に記載の発明によれば、炊飯器の動作を制御する制御手段と、予約炊飯時刻の設定を開始する予約設定開始手段と、予約炊飯の終了時刻を設定する予約時刻設定手段と、予約設定を確定する予約設定確定手段と、通常は現在時刻を表示し予約炊飯設定時には予約時刻を表示する時刻表示手段を有する表示手段とを備え、前記制御手段は、予約設定開始手段から制御手段へ信号が伝達された時刻を記憶する記憶手段を有し、その時刻から予約時刻設定手段により設定され予約設定確定手段により確定された時刻までが予約可能時間以上かを判断するよう構成したから、予約時刻設定開始時に使用者が現在時刻を確認できるため、予約炊飯設定時に予約炊飯時刻設定が予約炊飯可能時間を外れているかを判断できるため、誤操作を改善することができる。
【００３９】
また、請求項２に記載の発明によれば、制御手段は、予約設定開始手段から制御手段へ信号が伝達された時刻に対し、予約時刻設定手段により設定され予約設定確定手段により確定された時刻が予約時刻設定可能時間にないことを検知した場合、予約設定確定を受け付けず誤設定された予約時刻に最も近い予約設定可能時刻を時刻表示手段に表示するようにしたから、予約炊飯設定時刻が予約炊飯設定可能時間から外れている場合、予約設定確定を受け付けず誤設定された予約時刻に最も近い予約設定可能時刻を時刻表示手段に表示することで、設定間違いを使用者に促すことができ、誤操作を改善することができる。
【００４０】
また、請求項３に記載の発明によれば、制御手段は、予約設定開始手段から制御手段へ信号が伝達された時刻に対し、予約時刻設定手段により設定され予約設定確定手段により確定された時刻が予約時刻設定可能時間にないことを検知した場合、即座に炊飯を開始するようにしたから、使用者が希望する炊飯終了時間にできる限り近い時間に炊飯を完了させることで、使用者の要望を満足させることができる。
【００４１】
また、請求項４に記載の発明によれば、制御手段は、予約設定開始手段から制御手段へ信号が伝達された時刻に対し、予約時刻設定手段により設定された時刻が予約炊飯不可能な時刻であった場合、表示手段へ注意表示をするようにしたから、予約炊飯設定時刻が予約炊飯設定可能時間から外れている場合、表示手段により明らかにすることで使用者に注意を促し、誤操作を防止することができる。
【００４２】
また、請求項５に記載の発明によれば、外部に音で炊飯器の状態を報知する報知手段を備え、制御手段は、予約設定開始手段から制御手段へ信号が伝達された時刻に対し、予約時刻設定手段により設定された時刻が予約炊飯不可能な時刻であった場合、前記報知手段により報知音にて注意をするようにしたから、予約炊飯設定時刻が予約炊飯設定可能時間から外れている場合、報知手段により明らかにすることで使用者に注意を促し、誤操作を防止することができる。
【図面の簡単な説明】
【図１】本発明の第１の実施例の炊飯器の要部ブロック図
【図２】同炊飯器の要部動作フローチャート
【図３】本発明の第２の実施例の炊飯器の要部動作フローチャート
【図４】本発明の第３の実施例の炊飯器の要部動作フローチャート
【図５】本発明の第４の実施例の炊飯器の要部動作フローチャート
【図６】本発明の第５の実施例の炊飯器の要部ブロック図
【図７】同炊飯器の要部動作フローチャート
【図８】従来の炊飯器の要部ブロック図
【図９】同炊飯器の要部動作フローチャート
【符号の説明】
３　予約設定開始手段
４　予約時刻設定手段
５　予約設定確定手段
６　制御手段
６ａ　記憶手段
７　表示手段
７ａ　時刻表示手段
【図１】
2004008298.tif 000003
【図２】
2004008298.tif 000004
【図３】
2004008298.tif 000005
【図４】
2004008298.tif 000006
【図５】
2004008298.tif 000007
【図６】
2004008298.tif 000008
【図７】
2004008298.tif 000009
【図８】
2004008298.tif 000010
【図９】
2004008298.tif 000011